(57)【要約】【課題】製作コストが安価で、表示内容Ａ、Ａ’が見易く、そのデザインも美麗で見映えの良い店舖ディスプレイ効果も期待できる、新規有用な見出し具Ｍを提供する。【課題を解決するための手段】外装体１と見出し紙２及び内装体３からなり、外装体１は、内折線ａを中心として左に左表示面４、右に右表示面５が平面視楔状に形成されると共に、下部に設けた垂設片４２と垂設片５２が接合してストッパーＳを、また後方には矩形状の開口部６１を形成し、着色又は無地の紙素材からなる、見出し紙２の表面には、内折線ｐの中心近傍の左右に、対称的に作家名、歌手・バンド名又はジャンルその他の同一表示内容Ａ、Ａ’が地色と異色で印刷され、内装体３は、内折線ｑを中心として左に左圧接面１２、右に右圧接面１３が平面視楔状に形成されている。【選択図】  図１
2004334143.tif 000002
【特許請求の範囲】
【請求項１】
プレス加工により、折込み線を形成すると共に裁断された透明な硬質シートを素材とし、折込み線を介し左側面板に連設された、頂面板及び底面板と、折込み線を介し右側面板に連設された、頂面板及び底面板とを重合した後に、それぞれを溶着又は接着して、後部に矩形状の開口部を形成し、前部に平面視略楔状か、台形状又は半円形状の二ないし三の表示面を形成した外装体と、
用紙の中央近傍で、左右対称的に作家名、歌手・バンド名又はジャンルその他の同一内容を表示した見出し紙と、
プレス加工により、折込み線を形成すると共に裁断された硬質シート又は厚紙を素材とし、折込み線を介し左側面板に連設された、頂面板及び底面板と、折込み線を介し右側面板に連設された、頂面板及び底面板とを重合した後に、それぞれを溶着又は接着し、前部に平面視略楔状か、台形状又は半円形状の表示用見出し紙を当接するための左右圧接面を形成した内装体と、
よりなることを特徴とする、仕切兼用見出し具。
【請求項２】
前記外装体の前部平面視略楔状か、台形状又は半円形状の表示面底部に、折込み線を介して連設された二つの垂設片を接合してなるか、又は折込み線を設けないでストッパーが形成されていることを特徴とする、請求項１記載の仕切兼用見出し具。
【請求項３】
前記外装体の溶着された頂面板及び底面板の短手寸法は、少なくとも自立可能な寸法であることを特徴とする、請求項１ないし請求項２記載の仕切兼用見出し具。
【請求項４】
前記組立てられた内装体は、圧接面の先端で表示用見出しを保持しながら、組立てられた外装体に設けられた開口部から円滑に挿入され、外装体の前部平面視略楔状か、台形状又は半円形状の二ないし三の表示面に装着される寸法に設定されていることを特徴とする、請求項１ないし請求項３記載の仕切兼用見出し具。
【請求項５】
前記内装体の素材となる硬質シート又は厚紙は、全体又は一部が着色してなることを特徴とする、請求項１ないし請求項４記載の仕切兼用見出し具。
【請求項６】
前記外装体の左側面板と右側面板の後方に半円状の係止用舌片を設けると共に、前記内装体の左側面板と右側面板の後方に、外装体の係止用舌片が係合するスリットを設けたことを特徴とする、請求項１ないし請求項５記載の仕切兼用見出し具。
【発明の詳細な説明】
【０００１】
【発明の属する技術分野】本発明は、仕切兼用見出し具に係わり、詳しくは、書店、ＣＤ・ビデオショップ等の書棚、展示棚に立置きされた書籍、ＣＤ、ＤＶＤ、ＭＤ又はビデオテープ等の商品間に挟着される、仕切兼用見出し具に関する。
【０００２】
【従来の技術】近年、書籍はもちろん多種多様のＣＤ、ＤＶＤ、ＭＤ、ビデオテープ等の商品が製造、販売され、書店、ＣＤ・ビデオショップ等においては、顧客へのサービス及び顧客の効率的な回転のために、書棚、展示棚等に仕切を兼ねた見出しが用いられている。図８〜図９は、従来品の主な例を示しているが、図８は、薄厚の樹脂製シートの一端を、若干の隙間が形成されるように折り返し、その端部を再度逆向きに折り返し、その隙間に表示内容を印刷した見出し紙を挿着し、逆向き折り返し部と本体を溶着している。
【０００３】
図９に示す従来品は、主にＣＤ、ＤＶＤ、ＭＤ、ビデオテープ等の商品展示棚に使用されているが、これは、本体と表示内容を印刷した見出しと透明な樹脂材よりなる表示部で構成されているが、表示部には複数の係止爪を設け、本体にはこれに対応して複数の係合部を形成している。
【０００４】
【発明が解決しようとする課題】
ところが、前者の仕切兼見出しは、薄厚の樹脂製シートを本体としているので、商品の取出し、整理の際に書棚等の中に引き込まれたり、逆に床面に落下することが頻発しまた、書棚等の奥行きが長いときは、見出し紙前端部分まで挿入されるので表示内容が見難いという欠点がありさらに、見出し紙の差し替えは極めて困難なので不使用となったときは、本体と共に廃棄処分としなければならない。
【０００５】
図９に示す後者は、その製作にあたっては、本体と表示部の金型を別々に製作しなければならないので、コスト高になりまた、ストッパー構造がないので、上記のように展示棚等の奥行きが長いときは、表示部まで挿入されることがあるので表示内容が見難いという不都合が起きる。
【０００６】
【課題を解決するための手段】
本発明は、上述した従来技術の問題点等を解決し、製作コストが安価で、表示内容が見易く、そのデザインも美麗で見映えの良い店舖ディスプレイ効果もある、新規有用な仕切兼見出し具を提供することを目的としている。
【０００７】
【発明の実施の形態】
そのために、本発明は、プレス加工により、折込み線を形成すると共に裁断された透明な硬質シートを素材とし、折込み線を介し左側面板に連設された、頂面板及び底面板と、折込み線を介し右側面板に連設された、頂面板及び底面板とを重合した後に、それぞれを溶着又は接着して、後部に矩形状の開口部を形成し、前部に平面視略楔状か、台形状又は半円形状の二ないし三の表示面を形成した外装体と、用紙の中央近傍で、左右対称的に作家名、歌手・バンド名又はジャンルその他の同一内容を表示した見出し紙と、プレス加工により、折込み線を形成すると共に裁断された硬質シート又は厚紙を素材とし、折込み線を介し左側面板に連設された、頂面板及び底面板と、折込み線を介し右側面板に連設された、頂面板及び底面板とを重合した後に、それぞれを溶着又は接着し、前部に平面視略楔状か、台形状又は半円形状の表示用見出し紙を当接するための左右圧接面を形成した内装体と、よりなることを特徴とする。
【０００８】
請求項２は、請求項１記載の仕切兼見出し具にあって、前記外装体の前部平面視略楔状か、台形状又は半円形状の表示面底部に、折込み線を介して連設された二つの垂設片を接合してなるか、又は折込み線を設けないでストッパーが形成されていることを特徴とする。
【０００９】
請求項３は、請求項１ないし請求項２記載の仕切兼用見出し具にあって、前記外装体の溶着された頂面板及び底面板の短手寸法は、少なくとも自立可能な寸法であることを特徴とする。
【００１０】
請求項４は、請求項１ないし請求項３記載の仕切兼用見出し具にあって、前記組立てられた内装体は、圧接面の先端で表示用見出しを保持しながら、組立てられた外装体に設けられた開口部から円滑に挿入され、外装体の前部平面視略楔状か、台形状又は半円形状の二ないし三の表示面に装着される寸法に設定されていることを特徴とする。
【００１１】
請求項５は、請求項１ないし請求項４記載の仕切兼用見出し具にあって、前記内装体の素材となる硬質シート又は厚紙は、全体又は一部が着色してなることを特徴とする。
【００１２】
請求項６は、請求項１ないし請求項５記載の仕切兼用見出し具にあって、前記外装体の左側面板と右側面板の後方に半円状の係止用舌片を設けると共に、前記内装体の左側面板と右側面板の後方に、外装体の係止用舌片が係合するスリットを設けたことを特徴とする。
【００１３】
【実施例】
以下、本発明の好適な一実施例を図面を参照にして説明する。図１は、この仕切兼用見出し具（以下、見出し具という）Ｍを構成する部材の分離斜視図で、図２は外装体の展開図、図３は内装体の展開図、図４は使用状態を示す一部切欠側面図、図５は、他の実施例の見出し具Ｍ’を構成する部材の分離斜視図で、図６はその外装体の展開図、図７は同内装体の展開図、図８及び図９は、従来例を示す斜視図である。
【００１４】
図１に示すように、見出し具Ｍは、外装体１と見出し紙２及び内装体３からなるものである。詳述すると外装体１は、図２に示す内折線ａを中心として左に左表示面４（図１の外装体１の右側を前面又は前方とする。以下同）、右に右表示面５を形成し、左表示面４の上部に設けた内折線ｄを介して蓋片４１が延設され、下部に設けた内折線ｅと外折線ｆを介して垂設片４２が延設されると共に、内折線ｂを介して左側面板６が連設されている。
【００１５】
右表示面５の上部に設けた内折線ｇを介して蓋片５１が延設され、下部には内折線ｈと外折線ｉを介して垂設片５２が延設されると共に、内折線ｃを介して右側面板７が連設されている。
【００１６】
左側面板６の上部には、内折線ｊを介して頂面板８が延設され、下部に設けた内折線ｋを介して底面板９が延設されている。
【００１７】
右側面板７の上部には、内折線ｍを介して頂面板１０が延設され、下部に設けた内折線ｎを介して底面板１１が延設されている。また左側面板６と右側面板７の後方に半円状の係止用舌片６０、７０が設けられている。
【００１８】
（図１参照）着色又は無地の紙素材からなる、見出し紙２の表面には、内折線ｐの中心近傍の左右に、対称的に作家名、歌手・バンド名又はジャンルその他の同一表示内容Ａ、Ａ’が地色と異色で印刷されている。
【００１９】
内装体３は、図１及び図３に示すように、内折線ｑを中心として左に左圧接面１２、右に右圧接面１３が形成され、左圧接面１２の内折線ｒを介して左側面板１２、右に右圧接面１３が形成され、左圧接面１２の内折線ｒを介して左側面板１４が連接され、その上部に設けた内折線ｓを介して頂面板１４１が延設され、下部に設けた内折線ｔを介して底面板１４２が延設されている。また、右圧接面１３の内折線ｕを介して右側面板１５が連接され、その上部に設けた内折線ｖを介して頂面板１３１が延設され、下部に設けた内折線ｗを介して底面板１３２が延設されている。また外装体１の係止用舌片６０、７０に係合するスリット１４０、１５０が設けられている。
【００２０】
ポリプロピレン等の透明な硬質シートを、プレス加工して折り込み線を設け、裁断された外装体１は、以下の手順で製作される。先ず、左側面板６の上部に設けた、内折線ｊを介して頂面板８をまた、内折線ｄを介して蓋片４１を内方にほぼ９０度に折り曲げ、同様に、右側面板７の上部に設けた、内折線ｍを介して頂面板１０をまた内折線ｇを介して蓋片５１を内方にほぼ９０度に折り曲げ、頂面板８と蓋片４１及び蓋片５１を頂面板１０の下方に集束、重合し、クリップ等により仮止めする。次に、左側面板６の下部に設けた、内折線ｋを介して底面板９をまた、内折線ｅを介して蓋片４２を内方にほぼ９０度に折り曲げ、さらに外折線ｆを介して垂設片４２を外方にほぼ９０度に折り曲げ、同様に、右側面板７の下部に設けた、内折線ｎを介して底面板１１をまた内折線ｈを介して蓋片５２を内方にほぼ９０度に折り曲げ、さらに外折線ｉを介して垂設片５２を外方にほぼ９０度に折り曲げ、左側面板６の底面板９と垂設片４２及び右側面板７の垂設片５２を底面板１１の上方に集束、重合しクリップ等により仮止めした後に、左側面板６の頂面板８と右側面板７の頂面板１０をまた、左側面板６の底面板９と右側面板７の底面板１１を溶着又は接着する。これにより前面が鋭角の平面視略楔状の左表示面４と右表示面５が形成されると共に、前面の底部に垂設片４２と垂設片５２が接合してストッパーＳが形成されかつ、後方に開口部６１が形成される。
【００２１】
紙素材からなる見出し紙２の表面には、顧客が書棚、展示棚等の左右から購入希望商品が素早く発見することが容易となるように、内折線ｐの中心近傍の左右に、対称的に作家名、歌手・バンド名又はジャンルその他の同一表示内容Ａ、Ａ’が、地色と異色例えば、地色が赤のときは白、また地色が黒のときは黄色等で表示内容Ａ、Ａ’が印刷されている。
【００２２】
着色された硬質シート又は厚紙を、プレス加工により折り線を設け、裁断された、内装体３は、以下の手順で製作される。先ず、左側面板１４の上部に設けた、内折線ｓを介して頂面板１４１を内方にほぼ９０度に折り曲げ、右側面板１５の上部に設けた内折線ｖを介して頂面板１３１を内方にほぼ９０度に折り曲げた後、左側面板１４の頂面板１４１を右側面板１５の頂面板１３１の下方に収束、重合しクリップ等により仮止めし、次に左側面板１４の下部に設けた、内折線ｔを介して底面板１４２を内方にほぼ９０度に折り曲げ、右側面板１５の下部に設けた内折線ｗを介して底面板１３２を内方にほぼ９０度に折り曲げ、左側面板１４の底面板１４２を右側面板１５の底面板１３２の上方に収束、重合しクリップ等により仮止めした後、それぞれ頂面板１３１と１４１を、また底面板１３２と１４２を溶着又は接着する。これにより、前面が鋭角の平面視略楔状の左圧接面１２と右圧接面１３が形成される。なお、図１に示すように内装体３の短手寸法Ｗは、外装体１の短手寸法Ｗ’よりも小寸法にかつ、長手寸法Ｌは、外装体１の長手寸法Ｌ’よりも小寸法に設定されている。また見出し紙２の長手寸法は、外装体１に体裁よく装着される寸法に設定されている。
【００２３】
見出し具Ｍの組立は、以下の手順で進められる。内装体３の左圧接面１２と右圧接面１３を、見出し２の表示内容Ａ、Ａ’の裏面に当接させ、これを外装体１の後方に設けられた開口部６１から挿入させ、前面の左表示面４及び右表示面５に到達するまで押し込み、外装体１の係止用舌片６０、７０を内装体３のスリット１４０、１５０に係止して組立作業は終了する。
【００２４】
図４は、本発明に係る、見出し具Ｍの使用状態を示すもので、８０は棚板で、展示棚Ｔ等の枠体９０に固定されており、見出し具Ｍは、ストッパーＳを棚板８０の前端部８１に当接させ、棚板８０に載置された書籍やＣＤ等の商品（不図示）間に挟着されて使用される。
【００２５】
図５に示す他の実施例の見出し具Ｍ’は、外装体１’と見出し紙２’及び内装体３’からなるものである。詳述すると外装体１’は、図６に示す内折線イ及びロで中央表示面Ｃを形成し、左に左表示面４’、右に右表示面５’を形成し、それぞれの下方部でストッパーＳ’を形成し、内折線ハを介して左側面板６’が連設され、右表示面５’の内折線ニを介して右側面板７’が連設されている。
【００２６】
左側面板６’の上部には、内折線ホを介して頂面板８’が延設され、下部に設けた内折線ヘを介して底面板９’が延設され、右側面板７’の上部には、内折線トを介して頂面板１０’が延設され、下部に設けた内折線チを介して底面板１１’が延設されている。また左側面板６’と右側面板７’の後方に半円状の係止用舌片６０’、７０’が設けられている。
【００２７】
（図５参照）着色又は無地の紙素材からなる、見出し紙２’の表面には、内折線リ及びヌで形成される中央部とその左右に、対称的に作家名、歌手・バンド名又はジャンルその他の同一表示内容Ｂ、Ｂ’及びＢ’’が、地色と異色で印刷されている。
【００２８】
内装体’３’は、図５及び図７に示すように、内折線ル及びヲで中央圧接面Ｃ’を形成し、左に左圧接面１２’、右に右圧接面１３’が形成され、左圧接面１２’の内折線ワを介して左側面板１４’が連接され、その上部に設けた内折線カを介して頂面板１４１’が延設され、下部に設けた内折線ヨを介して底面板１４２’が延設されている。また、右圧接面１３’の内折線タを介して右側面板１５’が連接され、その上部に設けた内折線レを介して頂面板１３１’が延設され、下部に設けた内折線ソを介して底面板１３２’が延設されている。また外装体１’の係止用舌片６０’、７０’に係合するスリット１４０’、１５０’がそれぞれ設けられている。
【００２９】
外装体１’は、以下の手順で製作される。先ず、左側面板６’の上部に設けた、内折線ホを介して頂面板８’を内方にほぼ９０度に折り曲げ、同様に、右側面板７’の上部に設けた、内折線トを介して頂面板１０’を内方にほぼ９０度に折り曲げ、頂面板８’を頂面板１０’の下方に重合し、クリップ等により仮止めする。次に、左側面板６’の下部に設けた、内折線ヘを介して底面板９’を内方にほぼ９０度に折り曲げ、同様に、右側面板７’の下部に設けた、内折線チを介して内方にほぼ９０度に折り曲げ、左側面板６’の底面板９’を底面板１１’の上方に重合し、クリップ等により仮止めした後に、左側面板６’の頂面板８’と右側面板７’の頂面板１０’をまた、左側面板６’の底面板９’と右側面板７’の底面板１１’を溶着又は接着する。これにより、前面が平面視台形状の中央表示面Ｃと左表示面４’及び右表示面５’が形成されると共に、前面の底部にストッパーＳ’が形成されかつ、後方に開口部６１’が形成される。
【００３０】
紙素材からなる見出し紙２’の表面には、顧客が書棚、展示棚等の正面及び左右から購入希望商品が、素早く発見することが容易となるように、内折線リ、ヌで形成される中央部とその左右対称部に作家名、歌手・バンド名又はジャンルその他の同一表示内容Ｂ、Ｂ’Ｂ’’が、地色と異色例えば、地色が赤のときは白、また地色が黒のときは黄色等で表示内容Ｂ、Ｂ’Ｂ’’が印刷されている。
【００３１】
内装体３’は、以下の手順で製作される。先ず、左側面板１４’の上部に設けた、内折線力を介して頂面板１４１’を内方にほぼ９０度に折り曲げ、右側面板１５’の上部に設けた内折線レを介して頂面板１３１’を内方にほぼ９０度に折り曲げた後、左側面板１４’の頂面板１４１’を右側面板１５’の頂面板１３１’の下方に重合し、クリップ等により仮止めし、次に左側面板１４’の下部に設けた、内折線ヨを介して底面板１４２’を内方にほぼ９０度に折り曲げ、右側面板１５’の下部に設けた内折線ソを介して底面板１３２’を内方にほぼ９０度に折り曲げ、左側面板１４’の底面板１４２’を右側面板１５’の底面板１３２’の上方に重合し、クリップ等により仮止めした後、それぞれ頂面板１３１’と１４１’を、また底面板１３２’と１４２’を溶着又は接着する。これにより、前面が平面視台形状の中央圧接面Ｃ’及び左圧接面１２’と右圧接面１３’が形成される。
【００３２】
見出し具Ｍ’の組立は、以下の手順で進められる。内装体３’の中央圧接面Ｃ’及び左圧接面１２’と右圧接面１３’を、見出し紙２’の表示内容Ｂ、Ｂ’Ｂ’’の裏面に当接させ、これを外装体１’の後方に設けられた開口部６１’から挿入させ、前面の中央表示面Ｃ及び左表示面４’と右表示面５’に到達するまで押し込み、外装体１’の係止用舌片６０’、７０’を内装体３’のスリット１４０’、１５０’に係止して組立作業は終了する。
【００３３】
【発明の効果】
本発明に係る、見出し具Ｍ及びＭ’は、上記の構成をもってなるから以下の効果を奏する即ち、▲１▼製作コストが安価であり、▲２▼内装体３、３’は、見出し紙２、２’と共に外装体１、１’から挿脱可能としているので表示内容Ａ、Ａ’及びＢ、Ｂ’、Ｂ’’が異なる見出し紙２、２’に容易に変換ができる。▲３▼外装体１、１’の短手寸法Ｗ’は、自立可能な寸法としているので、床面等に簡単に落下することがない。またストッパーＳ、Ｓ’により棚板８０の奥部までの進入が規制され、表示内容Ａ、Ａ’及びＢ、Ｂ’、Ｂ’’が隠蔽されることがない。▲４▼表示内容Ａ、Ａ’及びＢ、Ｂ’、Ｂ’’が展示棚Ｔ等の両側面と正面から見易くさらに、楔状及び台形状のデザインも美麗で見映えが良いので、店舗ディスプレイとしての相乗効果も期待できる。
【００３４】
【図面の簡単な説明】
【図１】本発明の、仕切兼用見出し具Ｍを構成する部材の分離斜視図である。
【図２】同、外装体１の展開図である。
【図３】同、内装体３の展開図である。
【図４】同、使用状態を示す一部切欠側面図である。
【図５】本発明における、他の実施例を構成する部材の分離斜視図である。
【図６】その外装体１’の展開図である。
【図７】その内装体３’の展開図である。
【図８】従来例を示す斜視図である。
【図９】従来例を示す斜視図である。
【符号の説明】
Ｍ、Ｍ’                  仕切兼用見出し具
Ｓ、Ｓ’                  ストッパー
Ａ、Ａ’                  表示内容
Ｂ、Ｂ’、Ｂ’’          表示内容
Ｔ                        展示棚
１、１’                  外装体
２、２’                  見出し紙
３、３’                  内装体
Ｃ                        中央表示面
４、４’                  左表示面
５、５’                  右表示面
６、６’                  左側面板
７、７’                  右側面板
８、１０、８’、１０’    頂面板
９、１１、９’、１１’    底面板
Ｃ’                      中央圧接面
１２、１２’              左圧接面
１３、１３’              右圧接面
１４、１４’              左側面板
１５、１５’              右側面板
１３１、１４１            頂面板
１３１’、１４１’        頂面板
１３２、１４２            底面板
１３２’、１４２’        底面板
６０、７０                係止用舌片
６０’、７０’            係止用舌片
１４０、１５０            スリット
１４０’、１５０’        スリット
６１、６１’              開口部
【図１】
2004334143.tif 000003
【図２】
2004334143.tif 000004
【図３】
2004334143.tif 000005
【図４】
2004334143.tif 000006
【図５】
2004334143.tif 000007
【図６】
2004334143.tif 000008
【図７】
2004334143.tif 000009
【図８】
2004334143.tif 000010
【図９】
2004334143.tif 000011